(57)【要約】【課題】  高度な電気絶縁を必要とすることなく、高圧変圧器の二次側から低電圧電源を容易に得ることが可能な電位治療装置を提供する。【解決手段】  高圧変圧器５１から出力される高電圧を利用して電界を形成し治療を行う電位治療装置１において、高圧変圧器１５の二次側に電位が異なる複数の出力端子５２、５３を形成し、複数の出力端子のうち高電位となる出力端子５３をフットレスト３の治療用電極４に接続し、高電位となる出力端子５３に対して低電位差となる出力端子５２にパイロットランプ６を接続する。【選択図】  図１
2011024779.tif 000002
【特許請求の範囲】
【請求項１】
高圧変圧器から出力される高電位を利用して電界を形成し治療を行う電位治療装置において、該電位治療装置には高電位が印加される複数の出力端子を備え、これら出力端子の少なくとも１つを治療用電極に接続し、該治療用電極に接続された出力端子とこの出力端子に対して低電位差となる他の出力端子との間に低電圧動作素子を接続したことを特徴とする電位治療装置。
【請求項２】
前記高圧変圧器は、二次側に高電圧を誘起させる高電位巻線と該高電位巻線に隣接する低電圧巻線を有しており、前記高電位巻線と前記低電圧巻線は高インピーダンス素子を介して接続されていることを特徴とする請求項１に記載の電位治療装置。
【請求項３】
前記低電圧動作素子は、前記治療用電極への高電圧印加時に点灯するパイロットランプであることを特徴とする請求項１または２に記載の電位治療装置。
【発明の詳細な説明】
【技術分野】
【０００１】
この発明は、電界を利用して治療を行う電位治療装置に関し、とくに高圧変圧器の二次側から低電圧電源を容易に得ることが可能な電位治療装置に関する。
【背景技術】
【０００２】
電位治療装置は、絶縁された人体に高電圧を与え、人体周囲に形成された電界による生体治療刺激作用を利用して、治療を行うものである。このような電位治療装置には、被治療者が椅子に座った際に足を載せられるフットレスト（足載せ台）に足部電極を備えたものが知られている（例えば、特許文献１参照。）。そして、足部電極に高電圧を印加することで、被治療者の人体の周囲に電界を形成するものである。
【先行技術文献】
【特許文献】
【０００３】
【特許文献１】特開平５−１２３４０５号公報
【発明の概要】
【発明が解決しようとする課題】
【０００４】
ところで、電位治療装置は高電位を印加して使用するため、使用に際しては被治療者への注意喚起が望まれる。例えば、被治療者への注意喚起のために、高電位が印加されていることを表示するためのパイロットランプなどを治療用電極の近くに設ければ、被治療者は高電位が印加されていることを容易に判断できる。
【０００５】
しかし、パイロットランプは低電圧で動作する電子素子（低電圧動作素子）であるため、パイロットランプを治療用電極の近くに設けるためには、高度の電気絶縁が要求される。すなわち、電位治療装置の治療用電極には高圧変圧器によって数千ボルト以上の高電圧が印加されるため、低電圧で使用される一般的な電子素子を利用した電子回路を治療用電極の近くに設ける場合は、商用電源からの電力供給による低電圧電源を高電圧から絶縁しなければ、絶縁破壊やリークが生じてしまい、商品化には技術的な困難が伴うという問題がある。そのため、従来においては、高圧変圧器の一次側電圧を使用して、実際の高電圧発生を間接的に表示せざるを得なかった。
【０００６】
そのため、従来においては、高電位が印加されていることを表示するのに、高圧変圧器の一次側の通電状態をパイロットランプで表示させるしかなく、高電位が発生しているか否かの直接的な表示ではなかった。
【０００７】
このほか、電位治療器にあっては、ヒータや他の機能（マッサージ機能など）を実現するために低電位動作素子を設けたい場合もある。
【０００８】
そこでこの発明は、高度な電気絶縁を必要とすることなく、高圧変圧器の二次側から低電圧電源を容易に得ることが可能な電位治療装置を提供することを目的とする。
【課題を解決するための手段】
【０００９】
上記目的を達成するために請求項１に記載の発明は、高圧変圧器から出力される高電位を利用して電界を形成し治療を行う電位治療装置において、該電位治療装置には高電位が印加される複数の出力端子を備え、これら出力端子の少なくとも１つを治療用電極に接続し、該治療用電極に接続された出力端子とこの出力端子に対して低電位差となる他の出力端子との間に低電圧動作素子を接続したことを特徴とする電位治療装置である。
【００１０】
この発明によれば、高圧変圧器の高電位の出力端子を介して治療用電極に高電圧が印加され、低電圧動作素子は、高電位の出力端子と、この出力端子に対して低電位差を有する出力端子との電圧により動作する。
【００１１】
請求項２に記載の発明は、請求項１に記載の電位治療装置において、前記高圧変圧器は、二次側に高電圧を誘起させる高電位巻線と該高電位巻線に隣接する低電圧巻線を有しており、前記高電位巻線と前記低電圧巻線は高インピーダンス素子を介して接続されていることを特徴としている。
【００１２】
請求項３に記載の発明は、請求項１または２に記載の電位治療装置において、前記低電圧動作素子は、前記治療用電極への高電圧印加時に点灯するパイロットランプであることを特徴としている。
【発明の効果】
【００１３】
請求項１に記載の発明によれば、高圧変圧器の二次側に電位が異なる出力端子を複数形成したので、出力端子間の電位差を利用して低電圧電源を得ることが可能なり、高度な電気絶縁を必要とすることなく、注意喚起のための低電圧動作素子を動作させることができる。
【００１４】
請求項２に記載の発明によれば、高電位巻線と低電圧巻線とを高インピーダンス素子を介して接続しているので、治療用電極へ許容値を超える電流が流れるのを防止することが可能となり、感電に対するリスクを低減することができる。
【００１５】
請求項３に記載の発明によれば、低電圧動作素子は治療用電極への高電圧印加時に点灯するパイロットランプであるので、目視により治療用電極への高電圧印加が容易に判断でき、使用時の際の高電圧に対する注意喚起を高めることができる。
【図面の簡単な説明】
【００１６】
【図１】本発明の実施の形態に係わる電位治療装置の概略等価回路図である。
【図２】本発明の実施の形態に係わる電位治療装置の側面図である。
【図３】本発明の実施の形態に係わる電位治療装置の正面図である。
【図４】本発明の実施の形態に係わる電位治療装置の平面図である。
【発明を実施するための形態】
【００１７】
つぎに、この発明の実施の形態について図面を用いて詳しく説明する。
【００１８】
図１ないし図４は、本発明の実施の形態を示しており、そのうち図２は電位治療装置１の側面図を示している。図２に示すように、電位治療装置１は、主として、被治療者Ｃが座る椅子２と、被治療者Ｃが椅子２に座った際に足を載せられるフットレスト３と、該フットレスト３に内蔵され被治療者Ｃを高電位にするための治療用電極４と、該治療用電極４に高電圧を供給する高電圧発生ユニット５とを備えている。
【００１９】
椅子２は、座部２１と、背もたれ２２と、左右のサイドウォール２４，２４とで構成され、これらの全体が絶縁物（表層材）で覆われている。また、サイドウォール２４の上面部には、リモートコントローラ２７が設けられている。
【００２０】
フットレスト３は、座部２１の前方の床面Ｆ上に配置されている。フットレスト３は絶縁物で覆われており、その内部に電界を形成するための治療用電極４が埋設されている。また、フットレスト３には、高電圧に対する注意喚起を高める低電圧動作素子としてのパイロットランプ６が設けられている。
【００２１】
図１は、高電圧発生ユニット５を示している。高電圧発生ユニット５は、高圧変圧器５１を有している。高圧変圧器５１の鉄心５１ａには、一次側巻線５１ｂと、二次側巻線としての高電位巻線５１ｃおよび低電圧巻線５１ｄが巻きつけられている。一次側巻線５１ａは、リモートコントローラ２７に収納されたスイッチを介して商用電源Ｖに接続されている。低電圧巻線５１ｄは、高電位巻線５１ｃに対して隣接して配設されている。
【００２２】
高圧変圧器５１の高電位巻線５１ｃの一端は一次側巻線５１ｂの一端に接続され、また、他端は第１の出力端子５３に高インピーダンス素子５５を介して接続されている。
【００２３】
高圧変圧器５１の低電圧巻線５１ｄの一端は、第１の出力端子５３に接続され、他端（高インピーダンス素子５５と反対側の端部）は第２の出力端子５２に接続されている。
【００２４】
これにより、高圧変圧器５１の二次側には、電位が異なる２つの出力端子５２、５３が形成されていることになり、前記第１の出力端子５３は治療用の高電位を印加するための出力端子として、また、この第１の出力端子５３と第２の出力端子５２との間には所定の電圧を印加する出力端子として機能する。
【００２５】
すなわち、第１の出力端子５３はフットレスト３の治療用電極４に接続されているとともにパイロットランプ６の一端に接続されている。また、第２の出力端子５２はパイロットランプ６の他端に接続されている。
【００２６】
高電圧発生ユニット５を作動させると、電磁誘導作用により二次側巻線としての高電位巻線５１ｃおよび低電圧巻線５１ｄには、高い電位が誘起する。この実施の形態においては、第１の出力端子５３の電位Ｅ１は、例えば９０００Ｖとなるように設定されており、第２の出力端子５２の電位Ｅ２は、例えば９０１０Ｖとなるように設定されている。
【００２７】
なお、パイロットランプ６は、消費電力が少なくかつ長寿命である発光ダイオード（ＬＥＤ）から構成するのが望ましい。
【００２８】
次に、このような構成の電位治療装置１の作動手順および作用について説明する。
【００２９】
まず、被治療者Ｃが椅子２に座り、例えば、図２に示すように、足をフットレスト３に載せた状態で、高電圧発生ユニット５を作動させると、第１の出力端子５３に接続された治療用電極４は９０００Ｖに印加され、被治療者Ｃが高電位にされるとともに、被治療者Ｃの人体の周囲に電界が形成され、この電界によって治療がなされる。
【００３０】
また、この状態においては、第１の出力端子５３の電位Ｅ１と第２の出力端子５２の電位Ｅ２との電位差は１０Ｖとなるので、この電位差によってパイロットランプ６を点灯させることができる。すなわち、この実施の形態においては、高圧変圧器５１の二次側における複数の出力端子間の電位差を利用して低電圧電源を得るようにしているので、高度な電気絶縁を必要とすることなく、低電圧の電子素子であるパイロットランプ６を点灯させることができる。
【００３１】
このように、電位治療装置１は高電圧を印加した状態で使用するため、被治療者Ｃへの注意喚起のためにパイロットランプ６を治療用電極の近くに設けることにより、被治療者Ｃは目視により治療用電極４への高電圧印加が容易に判断でき、使用時の際の高電圧に対する注意喚起を高めることができる。また、高電位巻線５１ｃと低電圧巻線５１ｄとを高インピーダンス素子５５を介して接続しているので、フットレスト３内の治療用電極４へ許容値を超える電流が流れるのを防止することが可能となり、感電に対するリスクを低減することができる。
【００３２】
以上、この発明の実施形態について説明したが、具体的な構成は、本実施形態に限られるものではなく、この発明の要旨を逸脱しない範囲の設計の変更等があっても、この発明に含まれる。例えば、この実施の形態では、パイロットランプ６を単なる点灯としているが、パイロットランプ６を点滅させる構成であってもよい。また、パイロットランプ６は、フットレスト３の治療用電極の近くだけでなく、他の治療用電極の近くに設ける構成としてもよい。さらに、低電圧動作素子としての足温用ヒータをフットレスト３に設け、第１の出力端子５３と第２の出力端子５２の電位差で足温用のヒータを動作させるようにすれば、冬季における電位治療を快適なものとすることが可能となる。
【符号の説明】
【００３３】
１              電位治療装置
２              椅子
２１            座部
２２            背もたれ
２４            サイドウォール
２７            リモートコントローラ
３            フットレスト
４              治療用電極
５              高電圧発生ユニット
５１            高圧変圧器
５１ａ          鉄心
５１ｂ          一次側巻線
５１ｃ          高電位巻線
５１ｄ          低電圧巻線
５２            第２の出力端子
５３            第１の出力端子
５５            高インピーダンス素子
６              パイロットランプ（低電圧動作素子）
Ｃ              被治療者
Ｖ              商用電源
Ｅ１            第１の出力端子の電位
Ｅ２            第２の出力端子の電位
【図１】
2011024779.tif 000003
【図２】
2011024779.tif 000004
【図３】
2011024779.tif 000005
【図４】
2011024779.tif 000006
【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
高圧変圧器から出力される高電位を利用して電界を形成し治療を行う電位治療装置において、
前記高圧変圧器の二次側に形成され、一端がアース側に接続されるとともに、他端が前記高圧変圧器の二次側の第１の出力端子に接続される高電位巻線と、
前記高圧変圧器の二次側に形成され、一端が前記第１の出力端子に接続されるとともに、他端が前記高圧変圧器の二次側の第２の出力端子に接続された低電圧巻線と、
前記第１の出力端子に接続され、前記高電位巻線による高電位が印加される治療用電極と、
前記第１の出力端子と前記第２の出力端子との間に接続され、前記第１の出力端子と前記第２の出力端子との間の電位差を利用して得られる低電圧電源によって動作する低電圧動作素子と、
を備え、
前記高電位巻線の前記他端は、前記治療用電極へ許容値を超える電流が流れるのを防止する高インピーダンス素子を介して前記第１の出力端子に接続されていることを特徴とする電位治療装置。
【請求項２】
前記低電圧動作素子は、前記治療用電極への高電圧印加時に点灯するパイロットランプであることを特徴とする請求項１に記載の電位治療装置。
【手続補正２】
【補正対象書類名】明細書
【補正対象項目名】全文
【補正方法】変更
【補正の内容】
【発明の詳細な説明】
【技術分野】
【０００１】
この発明は、電界を利用して治療を行う電位治療装置に関し、とくに高圧変圧器の二次側から低電圧電源を容易に得ることが可能な電位治療装置に関する。
【背景技術】
【０００２】
電位治療装置は、絶縁された人体に高電圧を与え、人体周囲に形成された電界による生体治療刺激作用を利用して、治療を行うものである。このような電位治療装置には、被治療者が椅子に座った際に足を載せられるフットレスト（足載せ台）に足部電極を備えたものが知られている（例えば、特許文献１参照。）。そして、足部電極に高電圧を印加することで、被治療者の人体の周囲に電界を形成するものである。
【先行技術文献】
【特許文献】
【０００３】
【特許文献１】特開平５−１２３４０５号公報
【発明の概要】
【発明が解決しようとする課題】
【０００４】
ところで、電位治療装置は高電位を印加して使用するため、使用に際しては被治療者への注意喚起が望まれる。例えば、被治療者への注意喚起のために、高電位が印加されていることを表示するためのパイロットランプなどを治療用電極の近くに設ければ、被治療者は高電位が印加されていることを容易に判断できる。
【０００５】
しかし、パイロットランプは低電圧で動作する電子素子（低電圧動作素子）であるため、パイロットランプを治療用電極の近くに設けるためには、高度の電気絶縁が要求される。すなわち、電位治療装置の治療用電極には高圧変圧器によって数千ボルト以上の高電圧が印加されるため、低電圧で使用される一般的な電子素子を利用した電子回路を治療用電極の近くに設ける場合は、商用電源からの電力供給による低電圧電源を高電圧から絶縁しなければ、絶縁破壊やリークが生じてしまい、商品化には技術的な困難が伴うという問題がある。そのため、従来においては、高圧変圧器の一次側電圧を使用して、実際の高電圧発生を間接的に表示せざるを得なかった。
【０００６】
そのため、従来においては、高電位が印加されていることを表示するのに、高圧変圧器の一次側の通電状態をパイロットランプで表示させるしかなく、高電位が発生しているか否かの直接的な表示ではなかった。
【０００７】
このほか、電位治療器にあっては、ヒータや他の機能（マッサージ機能など）を実現するために低電位動作素子を設けたい場合もある。
【０００８】
そこでこの発明は、高度な電気絶縁を必要とすることなく、高圧変圧器の二次側から低電圧電源を容易に得ることが可能な電位治療装置を提供することを目的とする。
【課題を解決するための手段】
【０００９】
上記目的を達成するために請求項１に記載の発明は、高圧変圧器から出力される高電位を利用して電界を形成し治療を行う電位治療装置において、前記高圧変圧器の二次側に形成され、一端がアース側に接続されるとともに、他端が前記高圧変圧器の二次側の第１の出力端子に接続される高電位巻線と、前記高圧変圧器の二次側に形成され、一端が前記第１の出力端子に接続されるとともに、他端が前記高圧変圧器の二次側の第２の出力端子に接続された低電圧巻線と、前記第１の出力端子に接続され、前記高電位巻線による高電位が印加される治療用電極と、前記第１の出力端子と前記第２の出力端子との間に接続され、前記第１の出力端子と前記第２の出力端子との間の電位差を利用して得られる低電圧電源によって動作する低電圧動作素子と、を備え、前記高電位巻線の前記他端は、前記治療用電極へ許容値を超える電流が流れるのを防止する高インピーダンス素子を介して前記第１の出力端子に接続されていることを特徴とする請求項１に記載の電位治療装置である。
【００１０】
この発明によれば、高圧変圧器の第１の出力端子を介して治療用電極に高電位が印加され、低電圧動作素子は、高電位の第１の出力端子と、この第１の出力端子に対して低電位差を有する第２の出力端子との間の電圧により動作する。
【００１１】
請求項２に記載の発明は、請求項１に記載の電位治療装置において、前記低電圧動作素子は、前記治療用電極への高電圧印加時に点灯するパイロットランプであることを特徴としている。
【発明の効果】
【００１２】
請求項１に記載の発明によれば、高圧変圧器の二次側に電位が異なる出力端子を複数形成したので、出力端子間の電位差を利用して低電圧電源を得ることが可能なり、高度な電気絶縁を必要とすることなく、注意喚起のための低電圧動作素子を動作させることができる。
【００１３】
また、請求項１に記載の発明では、高電位巻線と低電圧巻線とを高インピーダンス素子を介して接続しているので、治療用電極へ許容値を超える電流が流れるのを防止することが可能となり、感電に対するリスクを低減することができる。
【００１４】
請求項２に記載の発明によれば、低電圧動作素子は治療用電極への高電圧印加時に点灯するパイロットランプであるので、目視により治療用電極への高電圧印加が容易に判断でき、使用時の際の高電圧に対する注意喚起を高めることができる。
【図面の簡単な説明】
【００１５】
【図１】本発明の実施の形態に係わる電位治療装置の概略等価回路図である。
【図２】本発明の実施の形態に係わる電位治療装置の側面図である。
【図３】本発明の実施の形態に係わる電位治療装置の正面図である。
【図４】本発明の実施の形態に係わる電位治療装置の平面図である。
【発明を実施するための形態】
【００１６】
つぎに、この発明の実施の形態について図面を用いて詳しく説明する。
【００１７】
図１ないし図４は、本発明の実施の形態を示しており、そのうち図２は電位治療装置１の側面図を示している。図２に示すように、電位治療装置１は、主として、被治療者Ｃが座る椅子２と、被治療者Ｃが椅子２に座った際に足を載せられるフットレスト３と、該フットレスト３に内蔵され被治療者Ｃを高電位にするための治療用電極４と、該治療用電極４に高電圧を供給する高電圧発生ユニット５とを備えている。
【００１８】
椅子２は、座部２１と、背もたれ２２と、左右のサイドウォール２４，２４とで構成され、これらの全体が絶縁物（表層材）で覆われている。また、サイドウォール２４の上面部には、リモートコントローラ２７が設けられている。
【００１９】
フットレスト３は、座部２１の前方の床面Ｆ上に配置されている。フットレスト３は絶縁物で覆われており、その内部に電界を形成するための治療用電極４が埋設されている。また、フットレスト３には、高電圧に対する注意喚起を高める低電圧動作素子としてのパイロットランプ６が設けられている。
【００２０】
図１は、高電圧発生ユニット５を示している。高電圧発生ユニット５は、高圧変圧器５１を有している。高圧変圧器５１の鉄心５１ａには、一次側巻線５１ｂと、二次側巻線としての高電位巻線５１ｃおよび低電圧巻線５１ｄが巻きつけられている。一次側巻線５１ｂは、リモートコントローラ２７に収納されたスイッチを介して商用電源Ｖに接続されている。低電圧巻線５１ｄは、高電位巻線５１ｃに対して隣接して配設されている。
【００２１】
高圧変圧器５１の高電位巻線５１ｃの一端は一次側巻線５１ｂを介して商用電源Ｖのアース側に接続され、また、他端は第１の出力端子５３に高インピーダンス素子５５を介して接続されている。
【００２２】
高圧変圧器５１の低電圧巻線５１ｄの一端は、第１の出力端子５３に接続され、他端（高インピーダンス素子５５と反対側の端部）は第２の出力端子５２に接続されている。
【００２３】
これにより、高圧変圧器５１の二次側には、電位が異なる２つの出力端子５２、５３が形成されていることになり、前記第１の出力端子５３は治療用の高電位を印加するための出力端子として、また、この第１の出力端子５３と第２の出力端子５２との間には所定の電圧を印加する出力端子として機能する。
【００２４】
すなわち、第１の出力端子５３はフットレスト３の治療用電極４に接続されているとともにパイロットランプ６の一端に接続されている。また、第２の出力端子５２はパイロットランプ６の他端に接続されている。
【００２５】
高電圧発生ユニット５を作動させると、電磁誘導作用により二次側巻線としての高電位巻線５１ｃおよび低電圧巻線５１ｄには、高い電位が誘起する。この実施の形態においては、第１の出力端子５３の電位Ｅ１は、例えば９０００Ｖとなるように設定されており、第２の出力端子５２の電位Ｅ２は、例えば９０１０Ｖとなるように設定されている。
【００２６】
なお、パイロットランプ６は、消費電力が少なくかつ長寿命である発光ダイオード（ＬＥＤ）から構成するのが望ましい。
【００２７】
次に、このような構成の電位治療装置１の作動手順および作用について説明する。
【００２８】
まず、被治療者Ｃが椅子２に座り、例えば、図２に示すように、足をフットレスト３に載せた状態で、高電圧発生ユニット５を作動させると、第１の出力端子５３に接続された治療用電極４は９０００Ｖに印加され、被治療者Ｃが高電位にされるとともに、被治療者Ｃの人体の周囲に電界が形成され、この電界によって治療がなされる。
【００２９】
また、この状態においては、第１の出力端子５３の電位Ｅ１と第２の出力端子５２の電位Ｅ２との電位差は１０Ｖとなるので、この電位差によってパイロットランプ６を点灯させることができる。すなわち、この実施の形態においては、高圧変圧器５１の二次側における複数の出力端子間の電位差を利用して低電圧電源を得るようにしているので、高度な電気絶縁を必要とすることなく、低電圧の電子素子であるパイロットランプ６を点灯させることができる。
【００３０】
このように、電位治療装置１は高電圧を印加した状態で使用するため、被治療者Ｃへの注意喚起のためにパイロットランプ６を治療用電極の近くに設けることにより、被治療者Ｃは目視により治療用電極４への高電圧印加が容易に判断でき、使用時の際の高電圧に対する注意喚起を高めることができる。また、高電位巻線５１ｃと低電圧巻線５１ｄとを高インピーダンス素子５５を介して接続しているので、フットレスト３内の治療用電極４へ許容値を超える電流が流れるのを防止することが可能となり、感電に対するリスクを低減することができる。
【００３１】
以上、この発明の実施形態について説明したが、具体的な構成は、本実施形態に限られるものではなく、この発明の要旨を逸脱しない範囲の設計の変更等があっても、この発明に含まれる。例えば、この実施の形態では、パイロットランプ６を単なる点灯としているが、パイロットランプ６を点滅させる構成であってもよい。また、パイロットランプ６は、フットレスト３の治療用電極の近くだけでなく、他の治療用電極の近くに設ける構成としてもよい。さらに、低電圧動作素子としての足温用ヒータをフットレスト３に設け、第１の出力端子５３と第２の出力端子５２の電位差で足温用のヒータを動作させるようにすれば、冬季における電位治療を快適なものとすることが可能となる。
【符号の説明】
【００３２】
１              電位治療装置
２              椅子
２１            座部
２２            背もたれ
２４            サイドウォール
２７            リモートコントローラ
３              フットレスト
４              治療用電極
５              高電圧発生ユニット
５１            高圧変圧器
５１ａ          鉄心
５１ｂ          一次側巻線
５１ｃ          高電位巻線
５１ｄ          低電圧巻線
５２            第２の出力端子
５３            第１の出力端子
５５            高インピーダンス素子
６              パイロットランプ（低電圧動作素子）
Ｃ              被治療者
Ｖ              商用電源
Ｅ１            第１の出力端子の電位
Ｅ２            第２の出力端子の電位